(57)【特許請求の範囲】
【請求項１】
吊りフックが掛合する固定ピンと、前記固定ピンを挿入するピン孔を有するスライドプレートからなり、前記固定ピンを回転自在に軸支可能な２つの係合手段と、
前記２つの係合手段の間隔を開けて、かつ前記固定ピンの軸心を同一直線上に取付可能として前記固定ピンの軸回りを揺動可能とし、前記吊りフックと前記スライドプレートを収納した天秤本体と、
前記係合手段に接続して、前記固定ピンの軸心を通る直線との直交方向に沿って前記天秤本体内の前記係合手段の取付位置を移動可能とし、前記天秤本体に吊荷を吊り下げたときに前記天秤本体の主面を水平位置に調整可能な重心調整手段と、
を備えたことを特徴とする吊搬用天秤。
【請求項２】
前記天秤本体は、縦及び横フレームを枠状に形成し、前記横フレームの上面に前記吊りフックを挿入可能な挿入孔を有し、
前記重心調整手段は、
前記横フレームの側面で、前記側面の長手方向に沿って前記係合手段が進退移動可能な開口部と、
前記開口部で前記長手方向に沿って前記係合手段を移動させて所定位置で固定する駆動部と、
からなることを特徴とする請求項１に記載の吊搬用天秤。
【請求項３】
前記天秤本体は、地切りしたときの床面からの前記天秤本体両端の高低差から算出した前記天秤本体の主面を水平位置に保持する重量のバランスウェイトを備えたことを特徴とする請求項１又は２に記載の吊搬用天秤。
【請求項４】
前記天秤本体は、下面の前記吊荷へ向けて進退移動して吊上可能な吊上手段を備えたことを特徴とする請求項１ないし３のいずれか１に記載の吊搬用天秤。
【請求項５】
前記重心調整手段は、地切りしたときの床面から前記天秤本体両端の高さを求め、前記両端の高低差から前記側面の長手方向に沿った前記天秤本体の中心からの前記係合手段の移動量を算出可能なことを特徴とする請求項２ないし４のいずれか１項に記載の吊搬用天秤。
【発明の詳細な説明】
【技術分野】
【０００１】
本発明は、クレーンで重量物を吊り上げて、搬送、据え付けする吊搬用天秤に関する。
【背景技術】
【０００２】
既設の発電所に取り付けたガスタービンは所定の稼働時間を経過するとオーバーホール、交換などの作業が必要となる。既存の建屋は、最初にガスタービンを搬入した後に、階層、設備機器、配管等が取り付けられることが多い。このため、稼働後のガスタービンは建屋から搬出する箇所が限られ、当初搬入時に使用した天井クレーンによる吊上作業では対応できない様々な制限がある。
【０００３】
図９〜１１は、従来の吊ビームを用いたガスタービンの搬入作業の説明図１〜３である。
図９に示すように、例えば、建屋外からガスタービン１３０を建屋内に搬入して、下階から上階の据え付け箇所へ搬入する場合、２台の天井クレーンのクレーンスパン（２つの吊フック１０２の間隔）よりも搬入口１１０が狭いことがある。また、搬入口１１０から下方のガスタービン１３０をワイヤーで吊り上げる吊代では、上方への搬入移動の際、ワイヤーロープが長すぎて、吊代が天井高よりも長くなって搬入できないことがある。そこで次のような搬入作業が必要となっていた。
【０００４】
同図（Ａ）のように吊ビーム１００で建屋の搬入口１１０から台車１２０上に積載したガスタービン１３０に長ワイヤー１４０で玉掛けする。吊ビーム１００で吊上げてガスタービン１３０を地切りして吊ビーム１００の水平出しを行う。なお、あらかじめガスタービン１３０を仮置きする仮置き架台（不図示）を組立しておく。
次いで、同図（Ｂ）に示すように、吊ビーム１００でガスタービン１３０を所定高さまで吊上げる。
【０００５】
そして、図１０（Ａ）に示すように、台車１２０で外部の仮置き架台１５０を搬入口１１０まで搬入する。吊ビーム１００でガスタービン１３０を仮置き架台１５０上に仮置きする。長ワイヤー１４０の玉掛けを取り外す。
図１０（Ｂ）に示すように、吊ビーム１００を搬入口１１０まで降ろし、吊ビーム１００に仮置き架台１５０上に積載したガスタービン１３０を短ワイヤー１６０で玉掛けする。吊ビーム１００で吊上げてガスタービン１３０を地切りして吊ビーム１００の水平出しを行う。
【０００６】
図１１に示すように、吊ビーム１００でガスタービン１３０を吊上げて建屋上階の据え付け箇所まで搬送する。仮置き架台１５０は台車１２０で建屋外部へ搬出してから解体する。
ガスタービンなどの重量物は、形状が長尺かつ複雑で重心位置が不明確なため、水平出しが難しい。そこで、従来、クレーンで吊り下げる際に天秤、吊りビームを用いて水平のバランスを取るようにしている。
【０００７】
特許文献１に開示の吊り装置は、略四角形状の吊天秤の側面にワイヤーの係止部を設けている。クレーンに取り付けられた複数のワイヤーで吊上げた吊天秤は、ワイヤーの係止箇所をスライドさせることにより水平出しを容易にしている。
特許文献２に開示の水平吊ビームは、天秤の中央部位に天秤軸方向に移動可能に設けられた主吊具と、天秤の両端部位に天秤軸方向に移動可能に設けられた一対の製品吊具とを備えている。製品吊具のいずれか一方に荷重計を付設して製品吊具に作用する張力を計測して、計測値に応じた主吊具を被吊上物の重心と天秤重心との合力位置に、主吊具を移動させて長尺な吊荷を水平に吊持するようにしている。
【先行技術文献】
【特許文献】
【０００８】
【特許文献１】特開平１１−１９３１９４号公報
【特許文献２】特開平８−１０１０８８号公報
【発明の概要】
【発明が解決しようとする課題】
【０００９】
しかしながら、従来の吊ビームを用いた方法によれば、搬入口から下方のガスタービンをワイヤーで吊り上げる吊代では、上階への搬入移動の際、ワイヤーロープが長すぎて、吊代が天井高よりも長くなって搬入できないため、長短ワイヤーによる玉掛けを複数回行わなければならなかった。また、長短ワイヤーの交換の際にガスタービンの仮置き架台を設置しなければならなかった。このため、搬入作業が多工程となり、搬入時間も長期化し、それに伴う人件費も掛かっていた。
【００１０】
また、特許文献１の吊り装置は、複数のワイヤー掛けで天秤をクレーンフックに吊下げている。水平出しの際には、ワイヤーの複数の係止箇所をスライドして調整しなければならず、煩雑な作業となっていた。
また、特許文献２の水平吊ビームは、主吊具で長尺重量物を吊下げているが、１基の主吊具では吊上げ重量制限以上の重量物に適用できないという問題があった。
【００１１】
上記従来技術の問題点に鑑み、本発明は、クレーンにより天秤を介して吊荷を吊上げたときの水平出しを容易に行うことができる吊搬用天秤を提供することを目的とする。また、本発明は、吊上手段の吊代を短くすることができる吊搬用天秤を提供することを目的とする。
【課題を解決するための手段】
【００１２】
本発明は、上記の課題を解決するための第１の手段として、
吊りフックが掛合する固定ピンと、前記固定ピンを挿入するピン孔を有するスライドプレートからなり、前記固定ピンを回転自在に軸支可能な２つの係合手段と、
前記２つの係合手段の間隔を開けて、かつ前記固定ピンの軸心を同一直線上に取付可能として前記固定ピンの軸回りを揺動可能とし、前記吊りフックと前記スライドプレートを収納した天秤本体と、
前記係合手段に接続して、前記固定ピンの軸心を通る直線との直交方向に沿って前記天秤本体内の前記係合手段の取付位置を移動可能とし、前記天秤本体に吊荷を吊り下げたときに前記天秤本体の主面を水平位置に調整可能な重心調整手段と、
を備えたことを特徴とする吊搬用天秤を提供することにある。
【００１３】
本発明は、上記の課題を解決するための第２の手段として、前記天秤本体は、
縦及び横フレームを枠状に形成し、前記横フレームの上面に前記吊りフックを挿入可能な挿入孔を有し、
前記重量調整手段は、
前記横フレームの側面で、前記側面の長手方向に沿って前記係合手段が進退移動可能な開口部と、
前記開口部で前記長手方向に沿って前記係合手段を移動させて所定位置で固定する駆動部と、
からなることを特徴とする吊搬用天秤を提供することにある。
【００１４】
本発明は、上記の課題を解決するための第３の手段として、前記第１または第２の手段において、前記天秤本体は、地切りしたときの床面からの前記天秤本体両端の高低差から算出した前記天秤本体の主面を水平位置に保持する重量のバランスウェイトを備えたことを特徴とする吊搬用天秤を提供することにある。
【００１５】
本発明は、上記の課題を解決するための第４の手段として、前記第１ないし第３のいずれか１の手段において、前記天秤本体は、下面の前記吊荷へ向けて進退移動して吊上可能な吊上手段を備えたことを特徴とする吊搬用天秤を提供することにある。
【００１６】
本発明は、上記の課題を解決するための第５の手段として、前記第２ないし第４のいずれか１の手段において、前記重心調整手段は、地切りしたときの床面から前記天秤本体両端の高さを求め、前記両端の高低差から前記側面の長手方向に沿った前記天秤本体の中心からの前記係合手段の移動量を算出可能なことを特徴とする吊搬用天秤を提供することにある。
【発明の効果】
【００１７】
上記のような本発明によれば、天秤上の係合手段の取り付け位置を吊荷の重心上に容易に移動させて配置することができる。従って２点吊りした天秤の水平出しを容易に行うことができる。
上記のような本発明によれば、吊りフックの係合手段を天秤本体の側部に配置しているため、吊りフックから天秤本体までの吊代又は吊フックから吊荷までの吊代を短くすることができる。
【００１８】
上記のような本発明によれば、重心調整手段によって重心を調整した天秤本体が、吊荷を吊り下したときに傾くことを防止できる。よってクレーンによる空の天秤本体の安定した搬送作業を行うことができる。
上記のような本発明によれば、天秤本体と吊荷の間の距離を短くできるため、クレーンで吊上げる天秤の吊代を短くすることができる。
上記のような本発明によれば、吊荷の重心上に吊フックの重心を合わせることができ、天秤の水平出しを容易に行うことができる。
【図面の簡単な説明】
【００１９】
【図１】本発明の吊搬用天秤の構成概略を示す斜視図である。
【図２】吊搬用天秤の平面図である。
【図３】吊搬用天秤の側面を上方から見た拡大図である。
【図４】吊フックを吊搬用天秤に取り付ける説明図である。
【図５】バランスウェイトの説明図である。
【図６】本発明の吊搬用天秤を用いた搬入作業の処理フロー図である。
【図７】本発明の吊搬用天秤を用いた既設の重量物の搬入作業の説明図１である。
【図８】本発明の吊搬用天秤を用いた既設の重量物の搬入作業の説明図２である。
【図９】従来の吊ビームを用いたガスタービンの搬入作業の説明図１である。
【図１０】従来の吊ビームを用いたガスタービンの搬入作業の説明図２である。
【図１１】従来の吊ビームを用いたガスタービンの搬入作業の説明図３である。
【発明を実施するための形態】
【００２０】
本発明の吊搬用天秤の実施形態を添付の図面を参照しながら、以下詳細に説明する。
【００２１】
［吊搬用天秤１０］
図１は本発明の吊搬用天秤の構成概略を示す斜視図である。図２は吊搬用天秤の平面図である（吊上手段は省略）。
本発明の吊搬用天秤１０は、天井クレーン、ホイスト、クレーン車などの吊上手段で吊上可能とし、吊荷１４としては、ガスタービンなどの重量物、構造体を対象としている。本実施形態の吊搬用天秤１０は、建屋の天井クレーンで、下階に搬入したガスタービンを上階の据え付け箇所へ搬入する作業を例にして、以下説明する。
【００２２】
吊搬用天秤１０は、吊上手段で吊荷１４を懸吊して搬送する際に水平出しを容易にする天秤であり、天秤本体２０と、係合手段３０と、重心調整手段４０と、吊上手段５０、バランスウェイト６０を主な基本構成としている。
［天秤本体２０］
本実施形態の天秤本体２０は、縦フレーム２２と横フレーム２４を枠組みして平面矩形状に形成したものである。なお、天秤本体２０は、ビーム、棒状の部材ではなく、少なくとも吊荷１４の上面と対向する主面、平面を備えたものであれば良く、平面矩形に限らず、平面視で多角形、楕円、円などの形状であって、板状、枠状であっても良い。
【００２３】
天秤本体２０は、縦フレーム２２と、縦フレーム２２よりも短い横フレーム２４をそれぞれ２本枠組みしている。また、枠状の天秤本体２０は内側を５本の補強フレーム２６でトラス構造を形成するように組み合わせて耐荷重の強度を補強している。２本の縦フレーム２２には後述する吊上手段５０が取り付けられている。２本の横フレーム２４には後述する係合手段３０と重心調整手段４０が取り付けられている。また横フレーム２４の中央上面には吊フック１３を挿入可能な挿入孔２５が形成されている。
【００２４】
なお、天体本体２０の横フレーム２４の長手方向の寸法は、少なくとも後述する固定ピン３２の軸回りに回転する横フレーム２４の両端の高低差が計測できる長さであれば良い。また、縦フレーム２２と横フレーム２４の長さは、吊荷１４の形態に応じて任意に設計変更できる。
［係合手段３０］
図３は吊搬用天秤の側面を上方から見た拡大図である。図４は吊フックを吊搬用天秤に取り付ける説明図である。
【００２５】
係合手段３０は、吊上手段の吊りフック１３に係合と固定する金具である。本実施形態の係合手段３０は、固定ピン３２と、一対のスライドプレート３４ａ，３４ｂを主な基本構成としている。
固定ピン３２は、吊りフック１３のピン孔１３ａ及び後述するスライドプレート３４ａ，３４ｂのピン孔３４ｃに挿入可能なピンである。
【００２６】
一対のスライドプレート３４ａ，３４ｂは、吊りフック１３を間に挟むプレートであり、中心に固定ピン３２のピン孔３４ｃが形成されている。またピン孔３４ｃの下方には、着脱する固定ピン３２を受ける受け台３４ｄが形成されている。
スライドプレート３４ａ，３４ｂは、ピン孔３４ｃを間に挟んだ位置に、後述する駆動部４４のチェーン側フック４４ｄが連結するＵ字金具３４ｅが形成されている。
【００２７】
スライドプレート３４ａ，３４ｂは、固定ピン３２の上方にピン孔３４ｃを一部塞ぐ押えプレート３４ｆが着脱可能に形成されている。
スライドプレート３４ａ，３４ｂの上下辺には、後述する開口部４２の上下辺を挟んでスライド可能なガイド３４ｇが形成されている。
このような構成の２つの係合手段３０は、固定ピン３２の軸心が同一直線上となるように、換言するとピン孔３４ｃの中心が一致するように取り付けられているため、天秤本体２０を吊上手段で吊上げた場合、固定ピン３２をスライドプレートで軸支することにより、固定ピン３２の軸回りを天秤本体２０が揺動自在に回転できる。
【００２８】
［重心調整手段４０］
重心調整手段４０は、横フレーム２４の中央部に設けられ、横フレーム２４の上面の挿入孔２５から挿入された吊りフック１３の両側面を挟むように形成されている。このような重心調整手段４０の形成箇所は、横フレーム２４の平面視で両端側よりも肉厚に形成されている。重心調整手段４０は、開口部４２と駆動部４４を主な基本構成としている。
【００２９】
開口部４２は、横フレーム２４の中央上面側から垂直方向に開口した挿入孔２５に対して、横フレーム２４の中央側面から水平方向に貫通させた開口である。開口部４２と挿入孔２５は互いにつながっている。また、開口部４２は、横フレーム２４の長手方向に沿って開口した長穴であり、開口部４２の中心と横フレーム２４の中心は一致させている。開口部４２の長手方向の長さは、天秤本体２０、吊荷１４の大きさに応じて任意に設計変更でき、本実施形態では、一例として３００ｍｍの長さに設定している。
【００３０】
このような開口部４２には、係合手段３０のスライドプレート３４ａ，３４ｂが長穴の長手方向に沿って、換言すれば、横フレーム２４の長手方向に沿って、スライド（摺動）可能に取り付けられている。
駆動部４４は、開口部４２の長手方向に沿ってスライドプレート３４ａ，３４ｂを進退移動可能に駆動させるものである。本実施形態では、駆動部４４に一例としてチェーンブロックを用いている。本実施形態の駆動部４４は、２基のチェーンブロック４４ａ，４４ｂを係合手段３０の固定ピン３２を中心として左右対称に取り付けている。チェーンブロック４４ａ，４４ｂの本体側フック４４ｃは、横フレーム２４の取付金具２４ａに連結させ、チェーン側フック４４ｄは、スライドプレート３４ａ，３４ｂのＵ字金具３４ｅに連結させている。このようなチェーンブロックを２つの吊りフック１３の両側面に２基ずつ、合計８基取り付けている。
【００３１】
［係合手段３０の移動量］
吊搬用天秤１０は、天秤本体２０を固定ピン３２の軸回りを揺動可能に構成しているため、吊荷１４の重心上に吊フック１３が配置されていないと、天秤本体２０が傾くことになる。このような場合、吊りフック１３と係合する係合手段３０の配置位置を重心調整手段４０で移動させることにより、吊荷１４の重心上に吊フック１３を配置して、天秤本体２０を水平に維持することができる。
【００３２】
ここで、横フレーム２４のフレーム中心に係合手段３０の中心（スライドプレートのピン孔の中心）を配置して天秤本体２０を吊上げて水平になった場合、吊荷１４の重心上に吊フック１３が配置されていることになる。吊荷１４の重心がフレーム中心から遠くなるほど天秤本体２０の傾きが大きくなり、横フレーム２４両端の床面からの高さの高低差も大きくなる。この横フレーム２４両端の高低差と、横フレーム２４中心からの距離との関係から、あらかじめ、高低差に対応する、天秤本体２０を水平にする中心からの移動距離を求めることができる。
【００３３】
本実施形態では一例として、天秤本体２０の横フレーム２４の両端の床面からの高さを測定し、この両端の高低差（水平レベル差）が１００ｍｍのとき、水平レベルの低い方の横フレーム２４の端部側へ係合手段３０の取付位置を開口部４２の中心から２５ｍｍ移動させている。これにより、吊上げた天秤本体の主面を水平に維持することができる。
【００３４】
このような構成の重心調整手段４０は、図３中の矢印ａ方向へスライドプレート３４ａをスライド移動させる場合には、吊りフック１３を中心として図３中左側にある４基のチェーンブロック４４ａのワイヤーを巻き取って、図３中右側にある４基のチェーンブロック４４ｂのワイヤーを延長する。また、図３中の矢印ｂ方向へスライドプレート３４ａをスライド移動させる場合には、吊りフック１３を中心として図３中左側にある４基のチェーンブロック４４ａのワイヤーを延長し、図３中右側にある４基のチェーンブロック４４ｂのワイヤーを巻き取る。
なお、重心調整手段４０は、地切りしたときの床面からの天秤本体２０両端の高さを求める測距センサーの測定値が入力されて、この高低差から開口部４２の長手方向に沿った係合手段３０の移動量を算出可能な制御部を設けることもできる。
【００３５】
［吊上手段５０］
吊上手段５０は吊荷１４を吊り下げ可能なジャッキ５２である。本実施形態の吊上手段５０は、４基のジャッキ５２のシリンダ本体を天秤本体２０の下面に揺動自在に軸支させている。ジャッキ５２の取り付け位置は、吊荷１４の形状に応じて任意に変更可能である。例えば、ジャッキ５２の軸心が、平面視で吊荷１４のトラニオン部１４ａ（突起）上に重なるように取り付けると良い。ジャッキ５２のロッド先端にはトラニオン部１４ａの吊金具１４ｂと連結可能な吊金具５４を取り付けている。このような吊上手段５０は、駆動源に油圧ユニット、空気圧ユニットなどを用いることができ、着脱式のホース（油、エア）を採用することができる。また、吊上手段５０には延長したロッドの長さを計測可能なエンコーダ（不図示）を取り付けることができる。
【００３６】
［バランスウェイト６０］
図５はバランスウェイトの説明図である。バランスウェイト６０は、天秤本体２０の上面側に着脱可能に取り付ける錘である。本実施形態のバランスウェイトは、プレート状の錘であり、板面に一対の貫通孔６２を設けている。バランスウェイト６０の着脱箇所となる着脱部６４は、バランスの取り易い縦フレーム２２の中央部と、フレーム中心から最も離れた横フレーム２４の両端に形成することができる。本実施形態では、一例として、着脱部６４を３カ所設定している。バランスウェイト６０の取り付け方法は、バランスウェイト６０の貫通孔６２を、着脱部６４に設けた一対の棒状の固定サポート６６に貫通孔６２を嵌め合わせて天秤本体２０上に載置することができる。
【００３７】
このようなバランスウェイト６０は、吊荷１４を吊上げた天秤本体２０をクレーンで吊上げた際、本体が傾いたときに用いている。すなわち、本体の傾きを重心調整手段４０で水平に維持した状態で吊荷１４を据え付け箇所に配置して、吊荷１４との連結を解除すると、空の天秤本体２０は、重心上に吊フック１３が配置されていないため傾いてしまう。そこで、この天秤本体２０の傾きを水平に維持する重量を備えたバランスウェイト６０をあらかじめ天秤本体２０上に取り付けておくことにより、空の天秤本体２０を水平に維持することができる。
【００３８】
バランスウェイト６０の重量は、前述の係合手段３０の取付位置（フレーム中心からの距離）と、天秤本体２０を水平にするウェイトの重量の関係からあらかじめ求めることができる。
本実施形態では、一例として、係合手段３０の開口部４２中心からの移動量が５ｍｍに対して、重量２６ｋｇのバランスウェイトを１枚取り付けている。バランスウェイトは、作業員が容易に持ち運びできる重量に設定されている。これにより、空の天秤本体２０を水平に維持することができ、安定したクレーンによる搬送作業を行うことができる。
【００３９】
［作用］
上記構成による本発明の吊搬用天秤１０の作用について以下説明する。
図６は本発明の吊搬用天秤を用いた搬入作業の処理フロー図である。
図７，図８は本発明の吊搬用天秤を用いた既設の重量物の搬入作業の説明図１〜２である。
図７（Ａ）に示すように、吊荷１４を建屋下階に搬入する（ステップ１）。吊荷１４となるガスタービンを台車１５に搭載し、台車１５で建屋下階の搬入口１６下方まで搬送する。
【００４０】
あらかじめ建屋上階（オペレーションフロア）に配置した吊搬用天秤１０を天井クレーンで吊上げて搬入口１６の受台１７に仮置きする（ステップ２）。このとき４本のジャッキ５２は、搬入口１６から下方の吊荷１４へ向けて吊下がった状態となる。そしてジャッキ５２のロッドには吊金具５４が取り付けられている。
吊荷１４のトラニオン部１４ａに吊金具１４ｂを取り付ける（ステップ３）。
【００４１】
天井クレーンの吊フック１３を天秤本体２０の係合手段３０に連結する（ステップ４）。あらかじめスライドプレート３４ａのピン孔３４ｃの中心は、横フレーム２４の中心位置に配置しておく。吊フック１３を天秤本体２０の挿入口２５へ挿入し、スライドプレート３４ａのピン孔３４ｃと吊フック１３のピン孔１３ａの軸心を一致させた後、固定ピン３２をピン孔３４ｃ，１３ａに挿入する。次いで一対の押さえプレート３４ｆでスライドプレート３４ａを間に挟むように取り付けて固定ピン３２をピン孔内に固定する。これにより、天秤本体２０は固定ピン３２の軸回りを回転自在に揺動できる。
【００４２】
図７（Ｂ）に示すように、吊上手段５０の４本のジャッキ５２のロッドを１本ごとに吊荷１４へ向けて延長させて吊金具５４，吊金具１４ｂ同士を接続させる（ステップ５）。
図８（Ａ）に示すように、天井クレーンで吊搬用天秤１０を所定高さまで吊上げて地切りする（ステップ６）。
【００４３】
天秤本体２０の横フレーム２４の両端の水平レベル差が±１００ｍｍより小さいか否か判定する（ステップ７）。地切りすると横フレーム２４の中心と、固定ピン３２の軸心が一致しているため、ここを支点として、吊荷１４の重心上に支点が一致している場合には、天秤本体２０が水平となる。一方、吊荷１４の重心上に支点が配置されていない場合には、バランスを崩した天秤本体２０が横フレーム２４のいずれかの端部側へ傾く。地切りしたときの上階の床面から横フレーム２４の両端の高さを測定する。横フレーム２４の両端の高さから両端の高低差を求める。
【００４４】
高低差が±１００以上の場合、天井クレーンで吊荷１４を台車１５上に降ろす（ステップ８）。
ついで吊搬用天秤１０を天井クレーンで搬入口１６の受台１７に仮置きする（ステップ９）。
【００４５】
天秤本体２０の係合手段３０の取り付け位置の調整を行う（ステップ１０）。あらかじめ高低差に対応する、天秤本体２０を水平にする中心からの移動距離を求めてある。高低差が±１００ｍｍ以上のときは、スライドプレート３４ａ，３４ｂの移動量を２５ｍｍとし、高さの低い側の横フレーム２４の端部側へ移動させる。具体的な移動方法は、図３中の矢印ａ方向へスライドプレート３４ａ，３４ｂをスライド移動させる場合、吊りフック１３を中心として図３中左側にある４基のチェーンブロック４４ａのワイヤーを巻き取って、図３中右側にある４基のチェーンブロック４４ｂのワイヤーを延長させる。
【００４６】
また、バランスウェイトの調整を行う（ステップ１１）。具体的な調整方法は、係合手段３０の移動量が５ｍｍに対して、重量２６ｋｇのバランスウェイトを１枚取り付けている。
係合手段３０の取付位置を調整した後、再度、ステップ６以下の工程を行う。
一方、高低差が±１００ｍｍよりも小さいときは、天秤本体２０の主面が水平を維持していると判断する。
【００４７】
台車１５を建屋から搬出する（ステップ１２）。
ジャッキ５２のロッドを縮める（ステップ１３）。これにより吊フック１３と吊荷１４の吊代を短く設定できる。
吊上手段５０のホースを切り離す（ステップ１４）。
天井クレーンで吊荷１４を据付箇所へ搬送する（ステップ１５）。
【００４８】
図８（Ｂ）に示すように、天井クレーンで吊荷１４を据付箇所へ吊り下して、吊荷１４の据え付け作業を行う（ステップ１６）。係合手段３０の取付位置の調整を行った場合、天秤本体２０から吊荷１４を降ろすと、横フレーム２４のいずれかの端部側へ傾くことになる。しかしこの傾きを防止するバランスウェイト６０を取り付けているため、空の天秤本体２０を水平に維持することができ、安定したクレーンによる搬送作業を行うことができる。
【００４９】
このような本発明の吊搬用天秤によれば、天秤上の係合手段の取り付け位置を吊荷の重心上に容易に移動させて配置することができる。従って２点吊りした天秤の水平出しを容易に行うことができる。
【産業上の利用可能性】
【００５０】
本発明は、長尺、重量物など重心位置が不明確な吊荷を吊上げする際の吊搬用天秤として特に有用である。
【符号の説明】
【００５１】
１０………吊搬用天秤、１３………吊フック、１３ａ………ピン孔、１４………吊荷、１４ａ………トラニオン部、１４ｂ………吊金具、１５………台車、２０………天秤本体、２２………縦フレーム、２４………横フレーム、２４ａ………取付金具、２５………挿入孔、２６………補強フレーム、３０………係合手段、３２………固定ピン、３４ａ，ｂ………スライドプレート、３４ｃ………ピン孔、３４ｄ………受け台、３４ｅ………Ｕ字金具、３４ｆ………押さえプレート、３４ｇ………ガイド、４０………重心調整手段、４２………開口部、４４………駆動部、４４ａ，４４ｂ………チェーンブロック、４４ｃ………本体側フック、４４ｄ………チェーン側フック、５０………吊上げ手段、５２………ジャッキ、５４………吊金具、６０………ウェイト、６２………貫通孔、６４………着脱部、６６………固定サポート、１００………吊ビーム、１０２………クレーンフック、１１０………搬入口、１２０………台車、１３０………ガスタービン、１４０………長ワイヤー、１５０………仮置き架台、１６０………短ワイヤー。
【図１】
0006473922.tif 000002
【図２】
0006473922.tif 000003
【図３】
0006473922.tif 000004
【図４】
0006473922.tif 000005
【図５】
0006473922.tif 000006
【図６】
0006473922.tif 000007
【図７】
0006473922.tif 000008
【図８】
0006473922.tif 000009
【図９】
0006473922.tif 000010
【図１０】
0006473922.tif 000011
【図１１】
0006473922.tif 000012